(57)【要約】      （修正有）【課題】注水により発熱して蒸気を発生する発熱包を利用し、その蒸気で食材を調理し、複数回利用できる筒状或いは箱状の多層便利食品加熱容器を提供する。【解決手段】筒状或いは箱状の多層便利食品加熱容器は、外から内まで断熱層１、加熱層２及び食物受容層３を含み、断熱層１及び加熱層２は分離と脱着は不可能であり、食物受容層３は加熱層２から分離、脱着は可能である。加熱層２には加熱包と注水口２３と注水通路２２が含まれる。この加熱層２は注水により発熱する。食物受容層３は多層分離可能構造と脱着可能構造３１とし、この多層分離可能構造と脱着可能構造３１は断熱層１と加熱層２の上に覆われ、この加熱層２の注水口２３の位置には穴をあけてある。【選択図】図１
0003223722.tif 000002
【実用新案登録請求の範囲】
【請求項１】
筒状或いは箱状の多層便利食品加熱容器は、外から内まで断熱保温層、加熱層及び食物受容層を含み、その特徴は次の通りである。断熱層及加熱層は分離と脱着は不可能であり、この食物受容層は加熱層から分離、脱着は可能。加熱層には加熱包と注水口と注水通路が含まれる。この加熱層は注水により発熱する。食物受容層は多層分離可能構造と脱着可能構造を含む。また,この多層分離可能と脱着可能構造は断熱層と加熱層の上に覆われ,  この加熱層の注水口の位置には穴あけがある。  
【請求項２】
請求項1で述べた筒状或いは箱状の多層便利食品加熱容器の特徴は、加熱層内に1個または複数の加熱包を内蔵し、その加熱包は球形あるいは円柱形であり、直径はその注水口より小さい。さらに,加熱包は生石灰を主成分とする粒と透水性の外包装を含み,その加熱包の重量は10g,20g,30gまたは他の重量である。
【請求項３】
請求項1あるいは2で述べた筒状或いは箱状の多層の便利食品加熱容器により,前記加熱層の頂部に少なくとも1つのストーマがあり, そのストーマの頂部に1枚の溶融片が覆われているという特徴がある。
【請求項４】
請求項1あるいは2で述べた筒状或いは箱状のられた多層便利食品加熱容器の特徴は、述べた多層便利食品加熱容器に蓋体を含み、その蓋体内には、箸凹溝、スプーン凹溝、フォーク凹溝、爪楊枝凹溝があり、その箸凹溝、そのスプーン凹溝、そのフォーク凹溝、その爪楊枝凹溝は,それぞれ,箸、スプーン、フォーク、爪楊枝を収容するのに用いられる。
【請求項５】
請求項1あるいは2で述べた筒状或いは箱状の多層便利食品加熱容器の特徴は,前記加熱層の頂部に係合部を設け,その多層分離可能と脱着可能構造は,その係合部により,加熱層から自在に着脱することができる。
【請求項６】
請求項1あるいは2で述べた筒状或いは箱状の多層便利食品加熱容器は,多層分離と脱着の筒状またはボックス状構造が外周縁にあり,垂直方向に複数の補強リブが設置されているという特徴がある。
【請求項７】
請求項1あるいは2で述べた筒状或いは箱状の多層便利食品加熱容器の特徴は,多層分離可能と脱着可能構造の内壁に加熱層注水線と食品受容層注水線が設定してあること。
【考案の詳細な説明】
【技術分野】
【０００１】
本発明は, 注水により発熱して蒸気を発生する発熱包を利用し,その蒸気で食材を調理するという複数利用できる多層便利食材加熱容器である。
【背景技術】
【０００２】
便利火鍋は火や電気を使わずに,冷水を加えるだけで,暖かい火鍋を楽しむことができる。しかし,現在中国でとても人気のある使い捨火鍋は,1回加熱するだけで廃棄され,大量の材料の浪費を招いている。
【０００３】
特許番号はCN201711205837.Xの中国特許は1人用自熱火鍋を公開され、加熱底箱1、底箱1内には飯箱2があり、飯箱2の上に箱蓋があり、3、底箱1の底面と飯箱2の底面は加熱ゾーン11である。加熱ゾーン11内に発熱包が内蔵してある。底部ボックス1の内壁に保温層を設けている。カセット2の外壁と底箱1の外壁に、断熱の水波紋を設置してある。飯箱2の口部の辺縁に第一外4を設置し、底箱1の口部の辺縁に第二外の5を設置する。第一外の4は第二外の5に貼り込み, 飯箱2を底箱1にペンディングさせる。
【０００４】
本発明は,上述の技術案には次の3つの欠点があり,第1に,加熱区は飯箱2の底面部分のみであるため,加熱時に加熱パッケージからの熱量を十分に利用できず,火鍋原料を十分に加熱することはできない。
【考案の概要】
【考案が解決しようとする課題】
【０００５】
加熱ゾーンは一度しか使用できないので,全火鍋原材料の無駄になる。また、発熱パッケージは外箱底部にあるので,外箱底部の昇温が極めて速く,かつ温度が極めて高く,熱傷やデスクトップなどの支持物の表面損傷を招きやすい。
【課題を解決するための手段】
【０００６】
既存技術の不足を解決するために,本発明で採用した技術案は, 一種の筒状或いは箱状の多層便利食品加熱容器は、外から内まで断熱保温層、加熱層及び食物受容層を含み、その特徴は次の通りである。断熱層及加熱層は分離と脱着は不可能であり、この食物受容層は加熱層から分離、脱着は可能。加熱層には加熱包と注水口と注水通路が含まれる。この加熱層は注水により発熱する。食物受容層は多層分離可能構造と脱着可能構造を含む。また,この多層分離可能と脱着可能構造は断熱層と加熱層の上に覆われ,  この加熱層の注水口の位置には穴あけがある。
加熱層内に1個または複数の加熱包を内蔵し、その加熱包は球形あるいは円柱形であり、直径はその注水口より小さい。さらに,加熱包は生石灰を主成分とする粒と透水性の外包装を含み,その加熱包の重量は10g,20g,30gまたは他の重量である。
前記加熱層の頂部に少なくとも1つのストーマがあり, そのストーマの頂部に1枚の溶融片が覆われているという特徴がある。
述べた多層便利食品加熱容器に蓋体を含み、その蓋体内には、箸凹溝、スプーン凹溝、フォーク凹溝、爪楊枝凹溝があり、その箸凹溝、そのスプーン凹溝、そのフォーク凹溝、その爪楊枝凹溝は,それぞれ,箸、スプーン、フォーク、爪楊枝を収容するのに用いられる。
前記加熱層の頂部に係合部を設け,その多層分離可能と脱着可能構造は,その係合部により,加熱層から自在に着脱することができる。
多層分離と脱着の筒状またはボックス状構造が外周縁にあり,垂直方向に複数の補強リブが設置されているという特徴がある。
多層分離可能と脱着可能構造の内壁に加熱層注水線と食品受容層注水線が設定してあること。
【考案の効果】
【０００７】
本発明のメリットは,第一に,本発明は,多層分離可能と解体構造の食物受容層を創発的に発明し,加熱層と断熱層の原料を節約し,全ての食物が加熱され,調理されることを保証するものである。
第2に,本発明は,各使用時に,注水口から計算された量の加熱パッケージを投入することにより,食物受容層の温度の予測と制御を実現することができる
第三に,本発明は安全を保証するため,高圧鍋の降圧方法真似し,容器の加熱層頂部にストーマと融溶片を増加させ,容器爆発の危険を回避する。
【図面の簡単な説明】
【０００８】
【図１】図１は本発明全体構造の図を示す。（実施例１）
【図２】図２は,本発明加熱層の構造図である。
【図３】図３は本発明断熱層の構造図である。
【図４】図４は,本発明断熱層と加熱層固定後の構造の意図図である。
【図５】図5は,本発明多層の分離脱着構造の構造図である。
【図６】図６は本発明の未使用状態の全体構造の図である。
【図７】図７は本発明の使用状態構造の図である。
【実施例１】
【０００９】
以下,図と具体的な実施例を合わせて,本発明の技術案について詳述する。
図1,図2,図3,図4,図5,図6と図7に示す.
一種の筒状或いは箱状の多層便利食品加熱容器は、外から内まで断熱保温層（1）、加熱層（2）及び食物受容層（3），その特徴は次の通りである：断熱層及加熱層は分離と脱着は不可能であり、この食物受容層（3）は加熱層から分離、脱着は可能、その加熱層（2）には加熱包（24）と注水口（23）と注水通路が含まれる（22）；この加熱層は注水により（5）発熱する；その食物受容層（3）は多層分離可能構造と脱着可能構造を含む。（31）；また，この多層分離可能と脱着可能構造（31）は断熱層（1）と加熱層（2）の上に覆われ，この加熱層の注水口の位置には穴をあけてある（33）。
【００１０】
更に，その加熱層内（2）に1個または複数の加熱包を内蔵し（24），その加熱包は球形あるいは円柱形であり、直径はその注水口より小さい。さらに,加熱包は生石灰を主成分とする粒と透水性の外包装を含み,その加熱包の重量は10g,20g,30gまたは他の重量である。
【００１１】
減圧するため，その加熱層の頂部に少なくとも1つのストーマ（25）があり、そのストーマの頂部に1枚の溶融片が覆われているという特徴がある。
【００１２】
食事をする時の便利性を考えその多層便利食品加熱容器に蓋体を含み、その蓋体内には、箸凹溝、スプーン凹溝、フォーク凹溝、爪楊枝凹溝があり、その箸凹溝、そのスプーン凹溝、そのフォーク凹溝、その爪楊枝凹溝は,それぞれ,箸、スプーン、フォーク、爪楊枝を収容することに用いられる。
【００１３】
脱着しやすいように，前記加熱層の頂部に係合部を設け,その多層分離可能と脱着可能構造は,その係合部により,加熱層から自在に着脱することができる。
【００１４】
本構造を安定するため，多層分離と脱着の筒状またはボックス状構造が外周縁にあり,垂直方向に複数の補強リブが設置されている。
【００１５】
注水量を分かりやすいよう，多層分離可能と脱着可能構造の内壁に加熱層注水線と食品受容層注水線が設定してある。
【産業上の利用可能性】
【００１６】
筺体に取付けたスイッチを用いて容易に左右の選択ができ、側端部に半透明フードを取付けることによって、輝度の大きい照明が必要かつ操作者による入力位置の直視が不可欠な用途にも適用できる。
【符号の説明】
【００１７】
１    断熱層
２    加熱層
２２    注水チャンネル
２３  注水孔
２４    発熱バッグ
２５    放気孔
３    食物受容層
３１  多層分離脱着構造,開孔
５  水
【図１】
0003223722.tif 000003
【図２】
0003223722.tif 000004
【図３】
0003223722.tif 000005
【図４】
0003223722.tif 000006
【図５】
0003223722.tif 000007
【図６】
0003223722.tif 000008
【図７】
0003223722.tif 000009
【手続補正書】
【提出日】令和1年5月15日(2019.5.15)
【手続補正１】
【補正対象書類名】実用新案登録請求の範囲
【補正対象項目名】全文
【補正方法】変更
【補正の内容】
【実用新案登録請求の範囲】
【請求項１】
外から内まで断熱保温層、加熱層及び食物受容層を含み、断熱層及加熱層は分離と脱着は不可能であり、食物受容層は加熱層から分離、脱着は可能とし、加熱層には加熱包と注水口と注水通路が含まれ、加熱層は注水により発熱する、食物受容層は多層分離可能構造と脱着可能構造とし、また,多層分離可能と脱着可能構造は断熱層と加熱層の上に覆われ、加熱層の注水口の位置には穴をあけてあることを特徴とする多層便利食品加熱容器。
【請求項２】
加熱層内に1個または複数の加熱包を内蔵し、その加熱包は球形あるいは円柱形であり、直径はその注水口より小さく、加熱包は生石灰を主成分とする粒と透水性の外包装を含み,その加熱包の重量は10g,20g,30gまたは他の重量も選択できることを特徴とする請求項１に記載の多層便利食品加熱容器。
【請求項３】
加熱層の頂部に少なくとも1つのストーマを設置、そのストーマの頂部に1枚の溶融片が覆われている請求項１から2のいずれかに記載の多層便利食品加熱容器。
【請求項４】
加熱容器に蓋体を含み、その蓋体内には、箸凹溝、スプーン凹溝、フォーク凹溝、爪楊枝凹溝を設け、その箸凹溝、そのスプーン凹溝、そのフォーク凹溝、その爪楊枝凹溝は,それぞれ箸、スプーン、フォーク、爪楊枝を収容できることを特徴とした請求項１から2のいずれかに記載の多層便利食品加熱容器。
【請求項５】
加熱層の頂部に係合部を設け,その多層分離可能と脱着可能構造は,その係合部により,加熱層から自在に着脱ができることを特徴とした請求項１から2のいずれかに記載の多層便利食品加熱容器。
【請求項６】
多層分離と脱着の筒状またはボックス状構造が外周縁にあり,垂直方向に複数の補強リブが設置としたことを特徴とする請求項１から2のいずれかに記載の多層便利食品加熱容器。
【請求項７】
多層分離可能と脱着可能構造の内壁に加熱層注水線と食品受容層注水線が設定してあることを特徴とした請求項１から2のいずれかに記載の多層便利食品加熱容器。